(57)【要約】【課題】　使用者の身体がずれないように位置規制して効果的なマッサージができるマッサージ機を提供する。【解決手段】　座部８、背もたれ部９、肘置き部７、足のせ台４を設けた椅子型のマッサージ機である。背もたれ部９にマッサージ手段を設け、肘置き部７の内側に空気袋１ｃを設ける。【選択図】　　　　図１
2004000788.tif 000002
【特許請求の範囲】
【請求項１】
　座部、背もたれ部、肘置き部、足のせ台を設けた椅子型のマッサージ機であって、背もたれ部にマッサージ手段を設け、肘置き部の内側に空気袋を設けて成ることを特徴とするマッサージ機。
【発明の詳細な説明】
【技術分野】
【０００１】
　本発明は、椅子型のマッサージ機に関するものである。
【背景技術】
【０００２】
　従来から椅子型マッサージ機が特許文献１などにより知られている。
【特許文献１】特開２０００−１４００５３号公報
【発明の開示】
【発明が解決しようとする課題】
【０００３】
　本発明は使用者の身体がずれないように人体を正しい位置にした状態で効果的なマッサージができるマッサージ機を提供することを課題とするものである。
【課題を解決するための手段】
【０００４】
　上記課題を解決するために本発明に係るマッサージ機は、座部８、背もたれ部９、肘置き部７、足のせ台４を設けた椅子型のマッサージ機であって、背もたれ部９にマッサージ手段を設け、肘置き部７の内側に空気袋１ｃを設けて成ることを特徴とするものである。
【０００５】
　このように椅子型マッサージ機２に座り始めにおいては肘置き部７の内側に設けた空気袋１ｃを収縮させて利用者が容易に椅子型のマッサージ機２に座り、その後、空気袋１ｃを膨張させて座部８に座った人体の腰部分を両側から空気袋１ｃにより押し付け、人体を正しい位置にした状態でマッサージを開始するものであり、これにより人体を正しい位置にした状態で効果的なマッサージを行うことができる。
【発明の効果】
【０００６】
　本発明は、上記のように、空気袋により人体を正しい位置にした状態でマッサージを開始して効果的なマッサージを行うことができる。
【発明を実施するための最良の形態】
【０００７】
　以下、本発明を添付図面に示す実施形態に基いて説明する。
【０００８】
　椅子型のマッサージ機２は図１に示すように、フレーム体１０に座部８、肘置き部７、背もたれ部９、足のせ台４を設けて構成してあり、背もたれ部９、座部８、足のせ台４にはそれぞれマッサージ手段が設けてあり、少なくとも足のせ台４に設けたマッサージ手段は膨張収縮させる空気袋１により構成してある。背もたれ部９、座部８に設けるマッサージ手段（添付図面においては図示を省略している）は膨張収縮させる空気袋により構成してもよく、あるいはローラ等の他の手段により構成してもよいものである。
【０００９】
　また、図１、図２に示すように椅子型のマッサージ機２の両肘置き部７の内側に位置規制用の空気袋１ｃを設けてあり、この両肘置き部７の内側に設けた空気袋１ｃは給排気手段１５により膨張したり収縮したりするようになっている。
【００１０】
　しかして本発明においては椅子型のマッサージ機２に座り始めにおいては空気袋１ｃを収縮させて利用者が容易に椅子型のマッサージ機２に座り、その後、空気袋１ｃを膨張させて座部８に座った人体の腰部分を両側から空気袋１ｃにより押し付け、これにより人体のずれを矯正して人体を正しい位置に位置規制した状態でマッサージを開始するものである。これによりマッサージ機能部分に対して使用者の身体がずれがないように位置規制して効果的なマッサージができるものである。
【００１１】
　図３、図４には椅子型のマッサージ機２に設ける足のせ台４の一例が示してある。
【００１２】
　足のせ台４は表面側に人体の両下腿部３をそれぞれ独立して入れることができる一対の足入れ凹部１１が設けてあり、この一対の足入れ凹部１１は仕切り部１３を介して仕切ってある。各足入れ凹部１１の下端部（先端部）は足底のせ部１２となっている。そして利用者が座部８に座って足のせ台４に人体の両下腿部３をのせるのであるが、この場合、人体の両下腿部３のふくらはぎ部５を一対の足入れ凹部１１にそれぞれ独立して入れるとともに人体の両足底部６をそれぞれ両足底のせ部１２にのせることで、足のせ台４に両下腿部３をのせて支持するようになっている。
【００１３】
　各足入れ凹部１１の両側壁にはそれぞれふくらはぎ部５を圧迫するための空気袋１ａが設けてあり、各足底のせ部１２には人体の足底部６を圧迫するための空気袋１ｂが設けてある。
【００１４】
　上記空気袋１ａ、１ｂはチューブ１６を介して給排気手段１５に接続してあって、給排気手段１５により空気袋１ａ、１ｂを膨張させたり、あるいは収縮させたりするようになっている。ここで、空気袋１ａ、空気袋１ｂはそれぞれ給排気手段１５により独立して膨張収縮されるように制御され、これにより空気袋１ａのみを膨張収縮して人体のふくらはぎ部５のマッサージをしたり、あるいは、空気袋１ｂのみを膨張収縮して人体の足底部６のみをマッサージしていわゆる青竹踏みと同じような刺激を足底部６に与えたり、あるいは、空気袋１ａ、空気袋１ｂの両方を膨張収縮してふくらはぎ部５と足底部６の両方をマッサージしたり、あるいは、上記のように空気袋１ａ、空気袋１ｂの両方を膨張収縮してふくらはぎ部５と足底部６の両方をマッサージする際に、空気袋１ａと空気袋１ｂの膨張のタイミングをずらすことで、例えば、空気袋１ｂを膨張したのち、空気袋１ｂの膨張を維持しながら空気袋１ａを膨張させることで、足底部６を圧迫したのちにふくらはぎ部５を圧迫するということができて、静脈の血流を人体の末梢部分である足底部６からふくらはぎ部５を通して心臓の方に流すようなマッサージができるものである。
【００１５】
　次に、図５、図６に基づいて足のせ台４の他の例につき説明する。本例において足のせ台４部分の構造が異なるのみで椅子型のマッサージ機２の他の部分の構成は前述の例と同様であるので重複する説明は省略し、異なる点についてのみ説明する。
【００１６】
　本例においては、各足底のせ部１２にはそれぞれ空気袋１ｂを複数個ずつ設けてある。足底のせ部１２に空気袋１ｂを複数個設けるに当たっては、図５、図６に示す例ではつま先側から踵側にかけて複数の空気袋１ｂ１、１ｂ２、１ｂ３……が設けてあるが、複数の空気袋１ｂの配置は上記配置にのみ限定されないのはもちろんである。複数の空気袋１ｂは給排気手段１５によりそれぞれ独立して膨張収縮できるようになっており、人体の足底部６の好みの位置のマッサージができるようになっている。また、図６に示すように、空気袋１ｂ１、１ｂ２、１ｂ３を一端側から他端側に向けて順次膨張収縮を行うように給排気手段１５による給排気を制御すると足首の伸縮運動が可能となるものである。
【００１７】
　次に、図７乃至図９に基づいて足のせ台４の更に他の例につき説明する。本例において足のせ台４部分の構造が異なるのみで椅子型のマッサージ機２の他の部分の構成は前述の例と同様であるので重複する説明は省略し、異なる点についてのみ説明する。
【００１８】
　本例においては、人体のふくらはぎ部５を圧迫するための空気袋１ａ乃至足底部６の膨張収縮に合わせて足のせ台４を起倒させるようになっている。すなわち、足のせ台４の骨組みを構成する足のせフレーム部２０をフレーム体１０の前端上部に軸２１により回動自在に取付けてある。更にフレーム部２０はフレーム体１０に対して起倒手段２２により軸２１を回動中心として回動することで起倒自在となっている。
【００１９】
　起倒手段２２は図８に示すように、一端部がフレーム体１０に回動自在に取付けられた雄ねじ棒２３と、一端部が足のせフレーム部２０に回動自在に取付けられた筒体２４と、筒体２４の他端部に設けられたモータ２５と、モータ２５の出力軸に取付けたウォームギア２６と、ウォームギア２６に噛み合うウォームホイール２７と、ウォームホイール２７に設けた内側が雌ねじとなった螺合筒２８とで構成してあり、螺合筒２８が筒体２４の他端部内に配置され、更に螺合筒２８にねじ棒２３が螺合して構成してあり、モータ２５を駆動することで、ねじ棒２３の螺合筒２８への螺合深さが変わり、これにより足のせフレーム部２０（つまり足のせ台４）を軸２１を回動中心として図７（ａ）状態と図７（ｂ）の状態との間で回動するようになっている。
【００２０】
　そして、本例においては、人体のふくらはぎ部５を圧迫するための空気袋１ａ乃至足底部６を圧迫するための空気袋１ｂの膨張収縮に合わせて足のせ台４を起倒させるように制御されるのであるが、例えば、足のせ台４の空気袋１ａ乃至空気袋１ｂを膨張させた状態の信号（電気的信号）を受けてモータ２５を駆動して図９（ａ）（ｂ）のように足のせフレーム部２０を回動して図７（ａ）（ｂ）のように人体の膝及び足首の伸縮開放運動を効果的に行うものである。この場合、足のせ台４の空気袋１ａ乃至空気袋１ｂを膨張させた状態でモータ２５の正転・逆転を繰り返すようにしてもよく、繰り返した場合には人体の膝及び足首の伸縮開放運動を繰り返して行えるものである。
【図面の簡単な説明】
【００２１】
【図１】本発明の一実施形態の全体斜視図である。
【図２】同上の使用状態を示す全体正面図である。
【図３】同上の足のせ部を示し、（ａ）は正面図であり、（ｂ）は断面図である。
【図４】同上の足のせ部に下腿部をのせて空気袋によりマッサージしている状態の説明図である。
【図５】同上の他例における足のせ部に下腿部をのせて空気袋によりマッサージしている状態の説明図である。
【図６】（ａ）乃至（ｃ）は同上の足首の伸縮運動を行っている例を示す説明図である。
【図７】同上の更に他例を示し、（ａ）（ｂ）は足のせ台を起倒させて膝及び足首の伸縮運動を行っている例を示す説明図である。
【図８】（ａ）は同上の足のせ台の起倒手段を示す斜視図であり、（ｂ）は分解斜視図である。
【図９】（ａ）（ｂ）は同上の起倒手段により足のせフレーム部を起倒している状態を説明するための側面図である。
【符号の説明】
【００２２】
　１ｃ　空気袋
　４　足のせ台
　７　肘置き部
　８　座部
　９　背もたれ部
【図１】
2004000788.tif 000003
【図２】
2004000788.tif 000004
【図３】
2004000788.tif 000005
【図４】
2004000788.tif 000006
【図５】
2004000788.tif 000007
【図６】
2004000788.tif 000008
【図７】
2004000788.tif 000009
【図８】
2004000788.tif 000010
【図９】
2004000788.tif 000011